(57)【要約】【課題】  特定の光ディスク装置以外では情報を読み取ることが不可能であるように、当該情報を光ディスクに記録できる光ディスク装置を提供する。【解決手段】  デジタル情報をＥＦＭ変調してＥＦＭ変調情報を生成するＥＦＭ変調手段２と、ＥＦＭ変調情報２で定義される一部のピットまたはランドの、長さまたは配列を、所定の法則に従って変更するよう、ＥＦＭ変調情報を二次変調して、二次変調情報を生成する二次変調手段４と、二次変調情報４に基づいて光ディスクＷにピットを形成する記録手段とを備える。【選択図】          図１
2006338715.tif 000002
【特許請求の範囲】
【請求項１】
デジタル情報をＥＦＭ変調してＥＦＭ変調情報を生成するＥＦＭ変調手段と、
前記ＥＦＭ変調情報で定義される一部のピットまたはランドの、長さまたは配列を、所定の法則に従って変更するよう、ＥＦＭ変調情報を二次変調して、二次変調情報を生成する二次変調手段と、
前記二次変調情報に基づいて光ディスクにピットを形成する記録手段とを備えることを特徴とする光ディスク装置。
【請求項２】
前記二次変調手段は、光ディスクに予め記録されたウォブルグルーブに同期した所定間隔ごとに、対応するピットまたはランドの長さを変更するよう、前記ＥＦＭ変調情報を二次変調することを特徴とする請求項１記載の光ディスク装置。
【請求項３】
前記二次変調手段は、光ディスクに予め記録されたウォブルグルーブに同期した所定間隔ごとに、対応するピット間に所定長のピットを挿入するよう、前記ＥＦＭ変調情報を二次変調することを特徴とする請求項１または２記載の光ディスク装置。
【請求項４】
請求項１〜３のうちのいずれか一項記載の光ディスク装置によって前記二次変調情報に基づいたピットが形成された光ディスクから、情報を読み取るための光ディスク装置であって、
前記光ディスクに記録されたピットおよびランドを読み取って再生情報を生成する再生手段と、
前記再生情報で表されるピットまたはランドの長さまたは配列に対し、前記二次変調手段による前記所定の法則に従った変更の逆の変更を行うよう、再生情報を変調することで、二次変調手段により二次変調される前のＥＦＭ変調情報を復元する復元手段と、
該復元手段により復元されたＥＦＭ変調情報をＥＦＭ復調してデジタル情報を得るＥＦＭ復調手段とを備えることを特徴とする光ディスク装置。
【発明の詳細な説明】
【技術分野】
【０００１】
本発明は、光ディスクにピットを形成して情報を記録し、または、光ディスクに形成されたピットに基づいて光ディスクから情報を読み取る光ディスク装置に関する。
【背景技術】
【０００２】
近年、情報セキュリティに対する気運が高まり、情報をセキュリティ管理するニーズが増加している。
ここで、光ディスクは、手軽に大容量の情報を記録できるとともに、小型で持ち運びが容易であり、利便性がよいが、その反面として、セキュリティの観点では、例えば企業機密情報が記録された光ディスクが容易に社外等に持ち出され、悪意の第三者に渡る恐れが高い媒体であるといえる。そこで、光ディスクに記録する情報を、所定の条件下でのみ読み出せるようにする技術が考えられている。こういった技術の一つとして、本願出願人は、特許文献１において、暗号化を施した情報を光ディスク等の記録媒体に書き込むデータ書き込み方法、その読み込み方法、および、それを用いたデータ記録装置の発明を開示している。
【０００３】
特許文献１に記載された技術においては、ユーザにより入力されたパスワードに基づいて暗号鍵を生成し、その暗号鍵を用いて情報を暗号化して光ディスク等に記録することで、そのパスワードを知るユーザのみがその情報を復号化できるようにする。
さらに、ユーザが入力したパスワードと、光ディスク装置（データ記録装置）に固有のシリアルナンバー等に基づく補助パスワードとを組み合わせて生成した暗号鍵により暗号化を行って、その暗号化した情報を光ディスクに記録すれば、ユーザにより設定されたパスワードを入手したのみでは光ディスク上の情報を復号することが不可能となり、特定の光ディスク装置でのみ復号が可能な情報が記録された光ディスクを得ることができるものとしている。
【０００４】
【特許文献１】特開２００４−３２６２６０号公報
【発明の開示】
【発明が解決しようとする課題】
【０００５】
しかしながら、特許文献１に記載されたような、暗号鍵に基づいて情報をソフトウェア的に暗号化する手法においては、特定の光ディスク装置にのみ記憶された情報（シリアル番号等）に基づいて暗号化を行ったとしても、その暗号鍵が第三者に知られてしまったり、光ディスクに記録された暗号化された情報から、第三者によって暗号化の法則が解析されてしまったりすると、光ディスクに書き込まれた情報を平文化することが可能となってしまうという課題がある。
【０００６】
本願発明は上記課題を解決すべくなされ、その目的とするところは、特定の光ディスク装置以外では情報を読み取ることが不可能であるように、当該情報を光ディスクに記録できる光ディスク装置、および、その光ディスク装置によって記録された光ディスクから情報を読み取るための光ディスク装置を提供することにある。
【課題を解決するための手段】
【０００７】
本願発明に係る光ディスク装置は、上記課題を解決するために、以下の構成を備える。すなわち、デジタル情報をＥＦＭ変調してＥＦＭ変調情報を生成するＥＦＭ変調手段と、前記ＥＦＭ変調情報で定義される一部のピットまたはランドの、長さまたは配列を、所定の法則に従って変更するよう、ＥＦＭ変調情報を二次変調して、二次変調情報を生成する二次変調手段と、前記二次変調情報に基づいて光ディスクにピットを形成する記録手段とを備えることを特徴とする。
これによれば、ＥＦＭ変調情報で定義されるピットまたはランドの長さまたは配列が変更されるようＥＦＭ変調情報が二次変調された、二次変調情報に基づいて、光ディスクにピットが形成される。したがって、従来の光ディスク装置でその光ディスクを読み取ろうとしても、ＥＦＭ復調が正常に行えなかったり、実データおよびパリティデータが全く法則性を有しないデータとなって、訂正不可能な読み取りエラーが発生したりするから、光ディスクに記録された情報を読み取ること自体が不可能となる。
すなわち、従来のように暗号化した情報を光ディスクに記録する手法では、暗号化した情報は光ディスクから正常に読み取れるから、その暗号化された情報が解析されて解読される可能性があったのに対し、本願発明の光ディスク装置で記録された光ディスクからは、従来の光ディスク装置では情報を読み取ること自体が不可能となる。
【０００８】
さらに、前記二次変調手段は、光ディスクに予め記録されたウォブルグルーブに同期した所定間隔ごとに、対応するピットまたはランドの長さを変更するよう、前記ＥＦＭ変調情報を二次変調することを特徴とする。
また、前記二次変調手段は、光ディスクに予め記録されたウォブルグルーブに同期した所定間隔ごとに、対応するピット間に所定長のピットを挿入するよう、前記ＥＦＭ変調情報を二次変調することを特徴とする。
【０００９】
また、請求項１〜３のうちのいずれか一項記載の光ディスク装置によって前記二次変調情報に基づいたピットが形成された光ディスクから、情報を読み取るための光ディスク装置であって、前記光ディスクに記録されたピットおよびランドを読み取って再生情報を生成する再生手段と、前記再生情報で表されるピットまたはランドの長さまたは配列に対し、前記二次変調手段による前記所定の法則に従った変更の逆の変更を行うよう、再生情報を変調することで、二次変調手段により二次変調される前のＥＦＭ変調情報を復元する復元手段と、該復元手段により復元されたＥＦＭ変調情報をＥＦＭ復調してデジタル情報を得るＥＦＭ復調手段とを備えることを特徴とする。
これによれば、前記復元手段を備えることにより、この光ディスク装置によってのみ、請求項１〜３のうちのいずれか一項記載の光ディスク装置によってピットが形成された光ディスクから、情報を読み取ることができる。
【発明の効果】
【００１０】
本願請求項１〜３の発明に係る光ディスク装置によれば、特定の光ディスク装置を用いてのみ情報を読み取れるとともに、特定の光ディスク装置以外では情報を読み取ることが不可能であるように、当該情報を光ディスクに記録できる。
また、本願請求項４の発明に係る光ディスク装置によれば、請求項１〜３記載の光ディスク装置によって記録された光ディスクから情報を読み取ることができる。
【発明を実施するための最良の形態】
【００１１】
以下、本願発明に係る光ディスク装置の最良の実施の形態を説明する。
図１は、ＣＤ−ＲＯＭやＣＤ−Ｒ、ＤＶＤ−ＲＯＭやＤＶＤ＋（−）Ｒ等の光ディスクＷを読み出しおよび記録可能な本実施の形態に係る光ディスク装置Ｄの構成と、光ディスク装置Ｄが連繋されたホストコンピュータＨとを示す説明図である。
なお、光ディスク装置Ｄは、必ずしもホストコンピュータＨと物理的に別体に設ける必要はなく、例えば、ホストコンピュータＨの筐体内に内蔵されて、ホストコンピュータＨ内で、ホストコンピュータＨのメインボード等と接続されていても良い。
また、本願発明に係る光ディスク装置は、ホストコンピュータに接続されるものに限定されず、例えばオーディオ用ＣＤプレーヤ／レコーダのように、単体で動作するものも含む。
【００１２】
ホストコンピュータＨは、ＡＴＡＰＩやＵＳＢ等のインタフェースにより光ディスク装置Ｄと通信する通信手段と、ＣＰＵやメモリやハードディスク等から成り、ソフトウェアプログラムを実行可能なコンピュータ制御部とを備える。
【００１３】
また、ホストコンピュータＨには、光ディスク装置ドライバと、書き込みプログラムと、読み取りプログラムとが、コンピュータ制御部の記憶手段（ハードディスク）にコンピュータ読み取り可能に設けられ（インストールされ）ている。
光ディスク装置ドライバは、光ディスク装置Ｄに通信手段を介してコマンド等を送信することで、光ディスク装置Ｄを制御するプログラムである。
書き込みプログラムは、光ディスク装置ドライバを介して光ディスク装置Ｄ内の光ディスクＷにデジタル情報を書き込むアプリケーションプログラムである。
読み取りプログラムは、光ディスク装置ドライバを介して光ディスク装置Ｄ内の光ディスクＷからデジタル情報を読み取るプログラムである。
【００１４】
光ディスク装置Ｄは、ＡＴＡＰＩやＵＳＢ等のインタフェースによりホストコンピュータＨと通信する情報入出力手段５０を備える。
光ディスク装置Ｄは、情報入出力手段５０を介してホストコンピュータＨから受信したコマンドに基づいて、ホストコンピュータＨから受信したデジタル情報を、光ディスクＷに記録したり、光ディスクＷから読み出したデジタル情報をホストコンピュータＨに対して送信することができる。
【００１５】
以下、光ディスク装置Ｄの構成について詳述する。
光ディスク装置Ｄは、光ディスクＷを回転駆動するスピンドルモータ５４と、スピンドルモータ５４をサーボ制御する図示しないモータサーボ制御手段と、光ディスクＷの記録面にレーザー光を照射すると共に照射したレーザー光の反射光を受光可能な光ピックアップ５６と、光ピックアップ５６を、光ディスクＷの径方向に往復移動させるピックアップ移動手段と、光ピックアップ５６をサーボ制御する図示しないピックアップサーボ制御手段と、光ピックアップ５６によるレーザー光の受発光を制御するレーザー制御手段８とを備える。
また、光ディスク装置Ｄは、後述する、ＥＦＭ変調手段２、二次変調手段４、記録信号制御手段６、再生信号制御手段１０、復元手段１２、およびＥＦＭ復調手段１４を備える。
【００１６】
モータサーボ制御手段、ピックアップサーボ制御手段、レーザー制御手段８、ＥＦＭ変調手段２、二次変調手段４、記録信号制御手段６、再生信号制御手段１０、復元手段１２、およびＥＦＭ復調手段１４の各手段は、図示しないフラッシュＲＯＭ等にプログラムとして記録されたファームウェアを実行可能なマイコン制御部や、専用の制御ＬＳＩ等により実現される。
【００１７】
光ピックアップ５６は、対物レンズ５６ａと、レーザーダイオード等の発光素子（図示せず）と、フォトディテクタ等の受光素子（図示せず）と、フォーカスソレノイド５６ｃと、トラッキングソレノイド５６ｂとを備える。
発光素子は、発光することで、対物レンズ５６ａを介して光ディスクＷの記録面に対してレーザー光を照射可能に設けられる。また、受光素子は、対物レンズ５６ａを介して前記レーザー光の記録面からの反射光を受光して電気信号に変換する。
フォーカスソレノイド５６ｃは、対物レンズ５６ａを光ディスクＷに接離する方向（フォーカス方向）に移動可能に設けられる。
トラッキングソレノイド５６ｂは、対物レンズ５６ａを光ディスクＷの径方向（トラッキング方向）に移動可能に設けられる。
【００１８】
ピックアップ移動手段は、回転軸５７と、回転軸５７を回転駆動させる図示しない送りモータとから成る。回転軸５７の外周面には、螺旋状のねじ部が形成され、光ピックアップ５６はそのねじ部に螺合することで、回転軸５７の回転に応じて、光ディスクＷの径方向に移動可能に設けられる。
なお、ピックアップ移動手段の構成はこれに限定されるものではない。
【００１９】
ピックアップサーボ制御手段は、フォーカスソレノイド５６ｃおよびトラッキングソレノイド５６ｂを介した対物レンズ５６ａの移動と、前記送りモータを介した光ピックアップ５６の移動とを制御する、専用の制御ＬＳＩで構成される。
【００２０】
光ディスク装置Ｄは、前記モータサーボ制御手段およびピックアップサーボ制御手段により、スピンドルモータ５４、光ピックアップ５６、ピックアップ移動手段、およびレーザー制御手段８を制御して、光ディスクＷからの情報の読み出し、および、光ディスクＷへの情報の記録を行うことができる（再生手段および記録手段）。
【００２１】
次に、光ディスク装置Ｄが光ディスクＷに記録する情報を処理するための構成を、その処理の流れに沿って説明する。
ホストコンピュータＨから光ディスク装置Ｄに対して、光ディスクにデジタル情報を記録することを指示するコマンドが送信されるとともに、記録すべきデジタル情報が送信されると、そのデジタル情報は情報入出力手段５０を介してＥＦＭ変調手段２に入力される。
【００２２】
ＥＦＭ変調手段２は、入力されたデジタル情報に対し公知のＥＦＭ変調（Eight to Fourteen Modulation）を施す。なお、本願においては、ＥＦＭ変調が施された情報を、ＥＦＭ変調情報と呼ぶ。
【００２３】
公知のＥＦＭ変調とは、デジタル情報を８ｂｉｔ単位で１４ｂｉｔの所定の情報に１対１変換するものである。図２は、ＥＦＭ変調で採用されている、８ｂｉｔの情報と１４ｂｉｔの情報との１対１対応関係（変換テーブル）の一部を示す説明図である。
ＥＦＭ変調の概念を、図３を用いて説明する。元のデジタル情報は、８ｂｉｔ（１ｂｙｔｅ）単位で、前述の１対１対応した１４ｂｉｔの情報に変換される。さらに、ＥＦＭ変調では、図３に示すように、連続する各１４ｂｉｔ単位の情報間に、３ｂｉｔの接続ｂｉｔを挿入する。
ＥＦＭ変調されて生成されたＥＦＭ変調情報は、各ｂｉｔが、ピットおよびランドの長さの単位「Ｔ」に対応し、各ｂｉｔの「１」の部分が、光ディスクに記録されるピットとランドの境界を示している。
なお、ＥＦＭ変調では、各ピットおよびランドが必ず「３Ｔ」以上の長さを持つように、変換テーブル上の各１４ｂｉｔのデータは、「１」のｂｉｔ間に「０」のｂｉｔが２以上あるように選択されている（図２参照）。
【００２４】
本実施の形態に係る光ディスク装置Ｄにおいては、ＥＦＭ変調手段２によりＥＦＭ変調されて生成されたＥＦＭ変調情報は、二次変調手段４に入力されてさらに二次変調される。
二次変調手段４は、ＥＦＭ変調情報で定義される一部のピットまたはランドの、長さまたは配列を、所定の法則に従って変更するよう、ＥＦＭ変調情報を二次変調する。
【００２５】
本願発明の二次変調手段における前記「所定の法則」は、特に限定されないが、本実施の形態においては、図３に示すように、各前記１４ｂｉｔのデータの最後尾に「０」のｂｉｔを追加する変更を採用している。これによれば、各１４ｂｉｔのデータの最後尾においてピットまたはランドの長さが「１Ｔ」だけ長くなる。図３の例においては、５Ｔのピットが６Ｔに、３Ｔのランドが４Ｔになるよう、二次変調が施されている。
【００２６】
なお、本願発明における「二次変調」の概念は、一旦ＥＦＭ変調手段によってＥＦＭ変調情報を生成するのに対して時系列的に遅れて、ＥＦＭ変換情報に対して改めて二次変調を施す構成に限定されるものではない。すなわち、本願は、「二次変調」を、ＥＦＭ変調の処理と並行してまたは同時に行う構成も含む。例えば、ＥＦＭ変調の８ｂｉｔの情報との対応を、あらかじめ１４ｂｉｔの情報の最後尾に「０」のｂｉｔを足した１５ｂｉｔの情報との対応として構成して、ＥＦＭ変調と二次変調とが同時に行われる構成等をも含むものである。
【００２７】
二次変調手段４により変調された二次変調情報は、記録信号制御手段６によりレーザー光を制御するための記録信号に変換されてレーザー制御手段８に入力され、レーザー制御手段８は、その記録信号に基づいて光ピックアップ５６を制御してレーザー光を光ディスクＷの記録面に対して照射し、光ディスクＷの記録面に二次変調情報に基づいたピットを形成する。
【００２８】
このようにして情報が記録された光ディスクＷのピットおよびランドは、その一部の長さが変更されたものとなる。具体的には、ＥＦＭ変調された１４ｂｉｔ単位のデータの最後尾に「０」ｂｉｔが追加されて、その位置に該当する各ピットまたはランドの長さが１Ｔ分長く形成されている。
【００２９】
次に、本実施の形態に係る光ディスク装置Ｄにより一部のピットおよびランドの長さが変更されて形成されている光ディスクＷを、従来の光ディスク装置で読み取ろうとした場合の作用を説明する。
従来の光ディスク装置は、光ディスクＷのピットおよびランドを読み取って求められる再生信号から求められるｂｉｔ列に対し、通常のＥＦＭ復調（ＥＦＭ変調の逆の変換）を行って、デジタル情報を得る。
【００３０】
しかしながら、この光ディスクＷに書き込まれた情報は、１５ｂｉｔが元のデータの８ｂｉｔに対応するよう、再変調が施されて記録されているのに対し、通常の光ディスク装置では、１４ｂｉｔ単位でＥＦＭ復調を行うから、図３に示すように、復号の対象となるｂｉｔがずれて、ＥＦＭ復調後のデジタル情報は、元のデジタル情報とは全く異なるものとなる。
したがって、光ディスクＷが従来の光ディスク装置で読み取られてＥＦＭ復調されたデジタル情報は、実データ部分もパリティデータ部分もランダムな情報となっているから、従来の光ディスク装置では読み取りエラー（例えばパリティエラー）が発生して、情報の正常な読み出し自体が行えず、デジタル情報の読み出しが行えない。
なお、１４ｂｉｔで区切ったｂｉｔ列が、ＥＦＭ変調・復調において対応関係が定義されていないパターンとなった場合には、ＥＦＭ復調自体が行えない場合もある。
【００３１】
従来の、ソフトウェア的に暗号化を施した情報を光ディスクに記録する手法では、光ディスクに記録された情報を正常なデジタル情報として読み出すことは可能である。したがって、暗号化の法則さえ解析できれば、そのデジタル情報を解読することは原理的に可能である。
他方、本願発明に係る光ディスク装置で情報が記録された光ディスクは、前述の通り、従来の光ディスク装置では情報を読み出すこと自体が不可能であるから、従来の手法に比較してセキュリティの強度が格段に上がるものである。
【００３２】
次に、光ディスク装置Ｄの、本願発明に係る光ディスク装置で情報を記録した光ディスクからデジタル情報を読み出すための情報処理を行う構成を、その処理の流れに沿って説明する。
なお、本実施の形態においては、一つの光ディスク装置Ｄによって、記録および再生が行えるよう構成しているが、本願発明に係る記録を行う光ディスク装置と読み出しを行う光ディスク装置とは、互いに別体に構成してもよい。
【００３３】
ホストコンピュータＨから光ディスク装置Ｄに対して、光ディスクからデジタル情報を読み取ることを指示するコマンドが送信されると、光ディスク装置Ｄは、前記モータサーボ制御手段およびピックアップサーボ制御手段によりスピンドルモータ５４、光ピックアップ５６、ピックアップ移動手段、およびレーザー制御手段８を制御して、光ディスクＷの記録面に照射したレーザー光の反射光を受光して再生信号を生成する。
再生信号は再生信号制御手段１０に入力され、光ディスクＷに形成されたピットおよびランドに基づくｂｉｔ列の情報（再生情報）に変換される（図４参照）。
【００３４】
続いて、その再生情報は、復元手段１２に入力される。復元手段１２は、入力された再生情報で表されるピットまたはランドの長さに対し、二次変調手段４による前記所定の法則に従った変更の逆の変更を行うよう、再生情報を変調する。
すなわち、再生情報のビット列を１５ｂｉｔの実データ部分と３ｂｉｔの接続ｂｉｔの部分に分け、１５ｂｉｔの実データ部分の最後尾の「０」ｂｉｔを削除する。これにより、各１５ｂｉｔのデータが１４ｂｉｔになり、この各１４ｂｉｔのデータの最後尾において、再生情報が表すピットまたはランドの長さを「１Ｔ」だけ短くする変更が行われたこととなる。
これにより、光ディスクＷの記録時に行われた二次変調が施される前のＥＦＭ変調情報が得られる。
【００３５】
ＥＦＭ復調手段１４は、こうして得られたＥＦＭ変調情報に対し、公知のＥＦＭ復調を施して、デジタル情報を得る。ここで得られるデジタル情報は、図４に示すように、光ディスクＷに書き込まれた元のデジタル情報（図３参照）と全く同じものとなる。
【００３６】
本実施の形態に係る光ディスク装置Ｄで情報が書き込まれた光ディスクＷは、二次変調手段４による前記所定の法則に従った変更の逆を行う復元手段１２を備える光ディスク装置でのみ再生することができる。
第三者が、従来の光ディスク装置を用いてこの光ディスクＷに記録された情報を読み取ろうとしても、前述の通り、その情報自体を読み出すことが不可能である。そして、情報を読み出すことが不可能であるために情報の解析も行うことができない。
また、仮に第三者が、二次変調に係る前記所定の法則を知ることがあったとしても、光ディスクＷから情報を読み取るためには復元手段１２を備える特定の光ディスク装置を用いるしかなく、第三者がそのような光ディスク装置を製作することは極めて困難であるから、光ディスクＷの情報が第三者に不正に読み取られる可能性は極めて低いものと言える。
【００３７】
本実施の形態においては、二次変調として、１４ｂｉｔデータの最後尾に「０」ｂｉｔを挿入する構成を採用したが、二次変調の構成はこれに限定されるものではない。
二次変調の他の構成例としては、光ディスクに予め記録されたウォブルグルーブに同期した所定間隔ごとに、対応するピットまたはランドの長さを変更するよう、ＥＦＭ変調情報を二次変調するよう構成することもできる。例えば、１０ウォブルグルーブごとに、その先頭のピットまたはランドの長さを変えるよう、「０」ｂｉｔを挿入するなどの処理を施してもよい。この場合、復元手段は、１０ウォブルグルーブごとに、その先頭に形成されたピットまたはランドの長さを１Ｔ分減じるよう、「０」ｂｉｔを一つ削除する処理を施すよう構成する。
さらに他の構成例としては、光ディスクに予め記録されたウォブルグルーブに同期した所定間隔ごとに、対応するピット間に所定長のピットを挿入してピットおよびランドの配列を変更するよう、ＥＦＭ変調情報を二次変調するよう構成することもできる。例えば、１０ウォブルグルーブごとに、本来は存在しない３Ｔの長さのピットを挿入するなどの処理を施すよう構成してもよい。この場合、復元手段は、１０ウォブルグルーブごとに、その先頭に形成されたピットを一つ削除する処理を施すよう構成する。
また、特定のウォブルアドレスに所定の長さのピットを挿入するよう構成しても良い。
【産業上の利用可能性】
【００３８】
例えば企業機密情報を光ディスクに記録する場合に、固有の所定の法則で二次変調するよう構成された本願発明に係る光ディスク装置を用いれば、その企業内の特定の光ディスク装置でのみ読み取り可能な光ディスクを作成することができ、光ディスクが外部に持ち出された際にも機密情報が読み取られることがない。
また、複数種類の所定の法則の二次変調に対応した光ディスク装置Ｄを構成してもよい。このとき、光ディスク装置ごとに、対応可能な所定の法則の組み合わせを変えれば、光ディスク装置Ｄで書き込む二次変調の法則を切り替えることで、記録する光ディスクごとにセキュリティレベルを設定できるよう用いることもできる。
【図面の簡単な説明】
【００３９】
【図１】本実施の形態に係る光ディスク装置の構成を示した説明図である。
【図２】ＥＦＭ変調で採用されている、８ｂｉｔの情報と１４ｂｉｔの情報との１対１対応関係（変換テーブル）の一部を示す説明図である。
【図３】二次変調手段における二次変調の所定の法則、および、光ディスク上の二次変調されて記録された情報を、従来の光ディスク装置で読み取った場合の作用を示す説明図である。
【図４】光ディスク上の二次変調されて記録された情報を、本実施の形態に係る光ディスク装置で読み取った場合の作用を示す説明図である。
【符号の説明】
【００４０】
Ｄ  光ディスク装置
Ｈ  ホストコンピュータ
Ｗ  光ディスク
２  ＥＦＭ変調手段
４  二次変調手段
６  記録信号制御手段
８  レーザー制御手段
１０  再生信号制御手段
１２  復元手段
１４  ＥＦＭ復調手段
５０  情報入出力手段
５４  スピンドルモータ
５６  光ピックアップ
【図１】
2006338715.tif 000003
【図２】
2006338715.tif 000004
【図３】
2006338715.tif 000005
【図４】
2006338715.tif 000006